(57)【特許請求の範囲】
【請求項１】
ベース層とこのベース層に積層されその全域を取り囲む被覆層からなる積層構造体を製造するに当たり、
前記ベース層を、有機物と樹脂とを混練した材料にて構成するとともに、該ベース層または０．０３〜２mmの厚さになる被覆層を基材としてもう一方の層をインサート成形することを特徴とする積層構造体の製造方法。
【請求項２】
ベース層は、紙の粉砕物、紙の原料となるパルプ、竹、木材、籾殻の少なくとも１種を樹脂とともに混練した有機物を主体とする材料をインジェクションによって成形したものである、請求項１記載の製造方法。
【請求項３】
被覆層が、シート成形によって成形された容器からなる、請求項１又は２に記載の製造方法。
【発明の詳細な説明】
【０００１】
本発明は、液状物や粉状物、固形物等を収納する容器や蓋体等に適用して有用な積層構造体の製造方法に関するものである。
【０００２】
シャンプーや洗剤等の液状物、粉状物、固形物を入れる容器は、一般にポリプロピレン等の合成樹脂からなるものが多用されている。かかる容器は、資源の再利用を図る試みとして、容器をそのまま再利用し、内容物のみが詰め替えられるようになっており、そのための商品も市場において多数流通している。
【０００３】
ところで、合成樹脂製の容器は、その全てが再利用されているとは限らず、廃棄処分される場合もあり、このような場合、その処理は容易でなく、また、省資源を図るうえからも有用とはいえない。
【０００４】
一方、新聞やダンボール等の古紙類は、その加工が比較的容易であり、また、安価でもあることから、古くからリサイクルに供されていて、最近では、この種の容器においても紙製のものが用いられるようになってきており、その需要は今後益々増加すると考えられる。
【０００５】
しかしながら、紙製の容器は、落下や摩擦などの外力による変形や破損が起き易いこと、洗面所や浴室等水場での使用においては水分や湿気の影響を受け易い（水の浸入や湿気の吸収）こと、また、汗の吸収や日光による変色、劣化、さらには、内容物にアルコールや溶剤等が含まれている場合に変色を起こす不具合があるほか、紙自体が発生する臭いが内容物につきやすいこと等、使用条件や環境による物性変化を避けられず、紙が本来もっている弱点を解消するまでには至っていない。
【０００６】
【発明が解決しようとする課題】
本発明の課題は、主要部分が紙やパルプ、竹等の有機物からなり、ボトル型の容器やトレイあるいはコンパクト等に適用できる新規な積層構造体の製造方法を提案するところにある。
【０００７】
【課題を解決するための手段】
本発明は、ベース層とこのベース層に積層されその全域を取り囲む被覆層からなる積層構造体を製造するに当たり、
前記ベース層を、有機物と樹脂とを混練した材料にて構成するとともに、該ベース層または０．０３〜２mmの厚さになる被覆層を基材としてもう一方の層をインサート成形することを特徴とする積層構造体の製造方法である。
【０００８】
上記の構成になる製造方法において、ベース層は、紙の粉砕物、紙の原料となるパルプ、竹、木材あるいは籾殻の少なくとも１種を樹脂とともに混練した有機物を主体とする材料をインジェクションによって成形したものが望ましい。
【００１０】
また、被覆層は、シート成形によって成形されたものとすることができる。
【００１１】
また、本発明は、内容物を充てんするための容器であって、この容器は、上記の製造要領に従って製造されたものである、ことを特徴とする容器である。
【００１２】
【発明の実施の形態】
以下、図面を用いて本発明をより具体的に説明する。
【００１３】
図１（ａ）（ｂ）はボトル型容器の口部に装着されるねじ止めキャップにつき、その全域を取り囲むように被覆層を設けた場合と、片面（内面）のみに被覆層を設けた状態の例を示したものである。
【００１４】
図において１はねじ止めキャップの基材となるベース層である。このベース層１は紙の粉砕物、紙の原料となるパルプ、竹、木材あるいは籾殻等の少なくとも１種を合成樹脂とともに混練した有機物を主体とする材料が使用される。
【００１５】
また、２はベース層１に積層配置された被覆層であって、この被覆層２は極僅かな厚さを有する合成樹脂の皮膜にて形成される。
【００１６】
上掲図１（ａ）に示したところのキャップは、例えば、図２（ａ）〜（ｃ）に示すように、ベース層１をインジェクションによって成形する１次成形と、該ベース層１を基材としてその内側に被覆層２として内層２ａをインサート成形する２次成形と、さらに、２次成形にて得られた成形体の外側に被覆層２として外層２ｂをインサート成形する３次成形を経て作製することができ、内面のみに被覆層２を有する図１（ｂ）に示したものでは、上記工程の２次成形を終えた段階で完成品とすることができる。
【００１７】
図３（ａ）〜（ｃ）は化粧料を充てんするのに好適なクリームジャーの作製過程を示したものである。クリームジャーについても、図示はしないが、上記のキャップと同様、内面のみに被覆層２を設けた積層構造体とすることが可能であり、とくに内面から蓋体を取り付けるねじ部に至るまでの領域に被覆層２を設けることにより、ねじ部に内容物が付着した場合であっても簡単に拭き取ることが可能となり、ベース層１に内容物が浸透するのを防止することができる利点がある。
【００１８】
上掲図２においては被覆層２として内層２ａを成形したのち、外層２ｂを形成したが、被覆層２は図３に示したように外層２ｂを形成したのち内層２ａを形成するようにしてもよく、本発明ではその順序についてはとくに限定されない。また、本発明では、被覆層２を予め成形しておき、これを金型にインサートして、ベース層１をインジェクション成形することも可能である。被覆層２をインサート物とする場合には、該被覆層２をシート成形により成形した薄肉容器で構成するようにしてもよい。
【００１９】
図４は本発明に従う積層構造体をコンパクト容器に適用した例を示したものである。コンパクト容器を構成する本体部分、蓋体部分をそれぞれ図５〜図７に示した要領に従い成形したのち、本体部分と蓋体部分を枢支ピンＰを介して揺動可能に連結すればよい。
【００２０】
コンパクト容器は本体部分と蓋体部分を枢支ピンＰを介して連結するとともに、容器の収納時には、蓋体部分を本体部分に係合させることにより密閉するものであるから、連結部分および係合部分は、被覆層と同等の材質からなるものを用いてその厚さを局所的に厚くして強度の確保を図る。なお、コンパクト容器においても前述のキャップやクリームジャーと同様に、内面のみに被覆層２を設けた構造とすることができるのはいうまでもない。
【００２１】
積層構造体は、被覆層２を含め、全体として、紙の粉砕物あるいは紙の原料であるパルプ、竹、木材、籾殻等を５０mass％を超えて含有するものとするのが望ましい。より好適には５０mass％〜８０mass％の範囲とする。
【００２２】
紙等に混練する樹脂は、ポリエチレン、ポリプロピレン、ポリスチレン、ポリエステル（ＰＥＴ、ＰＢＴを含む）、ナイロン、ポリアクリロニトリル、エチレンビニルアルコール樹脂、酸変性ポリエチレン、酸変性ポリプロピレン、エラストマー等を適用することができる。
【００２３】
紙の粉砕物、パルプ、竹、木材、籾殻等は、そのサイズが３０００μm 以下とするのが望ましいが、より有利な成形を行うため１５００μm以下、さらに望ましくは５００μm以下とする。
【００２４】
ベース層１は衝撃に対する強度を改善するために、メタロセン触媒を用いたポリオレフィン系樹脂、酸変性ポリエチレンおよび酸変性ポリプロピレンの中から選ばれる少なくとも一種を含むものがとくに望ましい。その含有量は紙の粉砕物、パルプに対して５〜３５mass％程度とする。
【００２５】
被覆層は、ポリエチレン、ポリプロピレン、ポリスチレン、ポリエステル（ＰＥＴ、ＰＢＴを含む）、ナイロン、ポリアクリロニトリル、エチレンビニルアルコール樹脂、酸変性ポリエチレン、酸変性ポリプロピレン、エストラマー等を適用することができる。厚さについては、０．０３〜２mm程度とする。被覆層は上記樹脂の単層構造とすることができるが、中間にバリア層となるＥＶＯＨ、ナイロン等を配置した積層構造としてもよい。
【００２６】
ベース層１に使用する樹脂と被覆層２に使用する樹脂が同等のものを使用する場合にはそれらの間においての密着性については何らの問題もないが、性質の異なる樹脂を使用する場合や同じ樹脂を使用する場合であってのその相互間を確実に密着させておく必要がある場合には、接着層を設けることができる。
【００２７】
【発明の効果】
本発明によれば、主要部分が紙等の有機物からなっているので、省資源化に有用であり、廃棄に際して焼却処分を受けても燃焼カロリーを低く抑えられるので自然環境に悪影響を与えることがない。
【図面の簡単な説明】
【図１】  （ａ）は本発明に従う積層構造体として内外面に被覆層を設けたねじ止めキャップの例を示したものであり、（ｂ）は内面にのみ被覆層を設けたねじ止めキャップの例を示した図である。
【図２】  （ａ）〜（ｃ）は図１に示したねじ止めキャップの製作要領の説明図である。
【図３】  クリームジャーの製作要領を示した図である。
【図４】  本発明に従う積層構造体につき、コンパクト容器に適用した例を示したものである。
【図５】  コンパクト容器の製作要領の説明図である。
【図６】  コンパクト容器の製作要領の説明図である。
【図７】  コンパクト容器の製作要領の説明図である。
【符号の説明】
１  ベース層
２  被覆層
２ａ  内層
２ｂ  外層
Ｐ  枢支ピン
【図１】
0004176323.tif 000002
【図２】
0004176323.tif 000003
【図３】
0004176323.tif 000004
【図４】
0004176323.tif 000005
【図５】
0004176323.tif 000006
【図６】
0004176323.tif 000007
【図７】
0004176323.tif 000008